(57)【要約】【課題】反りや撓みを有効に抑えたワイヤカバー、およびそのワイヤカバーを備えたハウジングを提供する。【解決手段】このコネクタ１は、ハウジング１０とワイヤカバー２０を備えている。ワイヤカバー２０は、ハウジング１０の上面１１の電線引出面１１２の一部を覆うドーム部２２と、電線取出開口２１の両側に延びる一対のアーム部２３とを有する。ドーム部２２の内側には、そのドーム部２２の上壁と両側の側壁それぞれとを繋ぐ補強リブ２６１〜２６３が形成されている。これらの補強リブ２６１〜２６３は、略３角形状に形成され、斜めに直線的に延びる稜線２６１ａ〜２６３ａを持つ。【選択図】図９
2015220078.tif 000002
【特許請求の範囲】
【請求項１】
複数の電線引出口が形成された略長方形状の電線引出面を有するハウジング、および
前記電線引出面の長手方向中央部から一方の端部にかけて広がり、該電線引出面との間に空間を空けて該電線引出面を覆うドーム部と、前記電線引出面の長手方向に延びる両側縁それぞれに沿って前記ドーム部から該電線引出面の他方の端部に向かって延在して、互いの間に、前記複数の電線引出口から引き出された複数の電線を取り出す電線取出開口を形成し、互いに接離する向きに撓む一対のアーム部とを有するワイヤカバーを備え、
前記ドーム部が、前記電線引出面両側縁それぞれから立ち上がる向きに広がる一対の側壁と、該一対の側壁に支えられて前記電線引出面に対面して広がる上壁と、該一対の側壁それぞれと該上壁とを繋ぐ、該電線引出面に対し斜めに直線的に延びる稜線を持つ略３角形状の補強リブとを有することを特徴とするコネクタ。
【請求項２】
前記補強リブが、前記一対の側壁それぞれに対応して長手方向に複数個ずつ形成され、該複数個ずつの補強リブのうちの前記アーム部に最近接した一対の補強リブが他の補強リブよりも短い稜線を持つ補強リブであることを特徴とする請求項１記載のコネクタ。
【請求項３】
前記ワイヤカバーが、前記ハウジングへの取付けにあたり、該ワイヤカバーを前記電線引出面に対し傾けて、前記ドーム部側の端部を該ハウジングに軸支させ、軸支された該ドーム部側の端部を回転中心にして回転させることにより前記一対のアーム部側の端部を該ハウジングに係止させることで、該ハウジングに取り付けられるものであることを特徴とする請求項１又は２記載のコネクタ。
【請求項４】
複数の電線引出口が形成された略長方形状の電線引出面を有するハウジングの該電線引出面の長手方向中央部から一方の端部にかけて広がり、該電線引出面との間に空間を空けて該電線引出面を覆うドーム部と、
前記電線引出面の長手方向に延びる両側縁それぞれに沿って前記ドーム部から該電線引出面の他方の端部に向かって延在して、互いの間に、前記複数の電線引出口から引き出された複数の電線を取り出す電線取出開口を形成し、互いに接離する向きに撓む一対のアーム部とを有し、
前記ドーム部が、前記電線引出面両側縁それぞれから立ち上がる向きに広がる一対の側壁と、該一対の側壁に支えられて前記電線引出面に対面して広がる上壁と、該一対の側壁それぞれと該上壁とを繋ぐ、該電線引出面に対し斜めに直線的に延びる稜線を持つ略３角形状の補強リブとを有することを特徴とするワイヤカバー。
【発明の詳細な説明】
【技術分野】
【０００１】
本発明は、コネクタおよびそれに用いるワイヤカバーに関する。
【背景技術】
【０００２】
非特許文献１には、複数本の電線が引き出されるコネクタハウジングと、そのコネクタハウジングとの間に空間を持ってその電線引出面を覆うワイヤカバーとを備えたコネクタが開示されている。ワイヤカバーには、電線を外部に取り出す電線取出開口が形成されている。
【０００３】
このような構造のコネクタにおいて、様々な要求がある中の１つとして、このコネクタを使って従来よりも太い電線を使用したハーネス（ケーブルアセンブリ）を作製することの要求がある。この要求に応えるためには、ワイヤカバーに設けられている電線取出開口を広げる必要がある。ただし、その場合、電線取出開口を広げた結果、その電線取出開口両側に片持ち梁形状の長いアームが形成される。このため、ワイヤカバーの成形直後に内側に反った形状に変形され易くなる。また、使用時においても、ワイヤカバーの撓み易さのためにワイヤカバーの側壁に力が作用した際などに変形して、ハウジングとの間の係止が外れ易くなるという問題が生じる。
【０００４】
ここで、部材の補強のために、その部材に補強リブを設けることが知られている。例えば特許文献１には、周壁から支持壁にわたって形成された補強リブを有するコネクタカバーが開示されている。また、特許文献２には、レバー係止部の基部近傍に突設された電線押えリブを有するカバーが開示されている。これら特許文献１，２に開示されたリブは、いずれも、カバーの内周に沿った突条である。しかしながら、それらのリブは、カバー成形時の内側への反り、カバーの側壁に力が作用した際のカバーの変形防止には不十分である。
【先行技術文献】
【特許文献】
【０００５】
【特許文献１】特開２００９−１４０８０８号公報
【特許文献２】特開２００６−２９４３５９号公報
【非特許文献】
【０００６】
【非特許文献１】Ｔｙｃｏ  Ｅｌｅｃｔｒｏｎｉｃｓ  取扱説明書（ＩＳ）４１１−７８００８−１
【発明の概要】
【発明が解決しようとする課題】
【０００７】
本発明は、上記事情に鑑み、反りや撓みを有効に抑えたワイヤカバー、およびそのワイヤカバーを備えたハウジングを提供することを目的とする。
【課題を解決するための手段】
【０００８】
上記目的を達成する本発明のコネクタは、
複数の電線引出口が形成された略長方形状の電線引出面を有するハウジング、および
電線引出面の長手方向中央部から一方の端部にかけて広がり、電線引出面との間に空間を空けて電線引出面を覆うドーム部と、電線引出面の長手方向に延びる両側縁それぞれに沿ってドーム部から電線引出面の他方の端部に向かって延在して、互いの間に、複数の電線引出口から引き出された複数の電線を取り出す電線取出開口を形成し、互いに接離する向きに撓む一対のアーム部とを有するワイヤカバーを備え、
上記ドーム部が、電線引出面両側縁それぞれから立ち上がる向きに広がる一対の側壁と、それら一対の側壁に支えられて電線引出面に対面して広がる上壁と、それら一対の側壁それぞれと上壁とを繋ぐ、電線引出面に対し斜めに直線的に延びる稜線を持つ略３角形状の補強リブとを有することを特徴とする。
【０００９】
本発明のコネクタは、一対の側壁それぞれと上壁とを繋ぐ、斜めに直線的に延びる稜線を持つ略３角形状の補強リブを有する。この形状の補強リブが、建築分野にいうハンチあるいは筋交としての役割りを成し、成形時の反りや使用時の荷重による変形が防止される。これにより、ハウジングへのワイヤカバーの装着作業性が向上し、また、ハウジングからの不用意な外れが防止される。
【００１０】
ここで、本発明のコネクタにおいて、上記補強リブが、上記一対の側壁それぞれに対応して長手方向に複数個ずつ形成され、それら複数個ずつの補強リブのうちのアーム部に最近接した一対の補強リブが他の補強リブよりも短い稜線を持つ補強リブであることが好ましい。
【００１１】
上記の補強リブを、一対の側壁それぞれに対応して長手方向に複数個ずつ形成することで、成形時の反りや使用時の変形が一層強固に防止される。また、電線引出面から引き出された複数本の電線は、長手方向一方の端部寄りに形成されている電線取出開口から取り出される。このため、電線取出開口側には、より多数本の電線が集まることになる。したがって、ドーム部のうち、電線取出開口側にはより広い空間が必要となる。上記の複数個ずつの補強リブのうちアーム部に最近接した一対の補強リブを短い稜線を持つ補強リブとすることで、ドーム部のうちの電線取出開口側の空間が広く確保され、電線の収納性が向上する。また、アーム部に最近接した一対の補強リブを短い稜線の補強リブとしたことで、アーム部の適度な可撓性が確保される。
【００１２】
また、上記本発明のコネクタにおいて、ワイヤカバーが、ハウジングへの取付けにあたり、ワイヤカバーを電線引出面に対し傾けて、ドーム部側の端部をハウジングに軸支させ、軸支されたドーム部側の端部を回転中心にして回転させることにより一対のアーム部側の端部をハウジングに係止させることで、ハウジングに取り付けられるものであることが好ましい。
【００１３】
このようにワイヤカバーの一端と他端をハウジングに順次に取り付ける取付方法を採用することにより、ワイヤカバーがハウジングに円滑に取り付け可能となる。
【００１４】
また、上記目的を達成する本発明のワイヤカバーは、複数の電線引出口が形成された略長方形状の電線引出面を有するハウジングの電線引出面の長手方向中央部から一方の端部にかけて広がり、電線引出面との間に空間を空けて電線引出面を覆うドーム部と、電線引出面の長手方向に延びる両側縁それぞれに沿ってドーム部から電線引出面の他方の端部に向かって延在して、互いの間に、複数の電線引出口から引き出された複数の電線を取り出す電線取出開口を形成し、互いに接離する向きに撓む一対のアーム部とを有し、
上記ドーム部が、電線引出面両側縁それぞれから立ち上がる向きに広がる一対の側壁と、それら一対の側壁に支えられて電線引出面に対面して広がる上壁と、一対の側壁それぞれと上壁とを繋ぐ、電線引出面に対し斜めに直線的に延びる稜線を持つ略３角形状の補強リブとを有することを特徴とする。
【発明の効果】
【００１５】
以上の本発明によれば、ワイヤカバーの反りや撓みが有効に抑えられる。
【図面の簡単な説明】
【００１６】
【図１】本発明の一実施形態のコネクタであって、相手コネクタへの取付け前の状態を示した外観斜視図である。
【図２】図１と同一のコネクタであって、相手コネクタに取り付けた後の状態を示した外観斜視図である。
【図３】図１に示した状態のコネクタ（Ａ）と、そのコネクタと組み合う相手コネクタ（Ｂ）とを示した斜視図である。
【図４】相手コネクタと、その相手コネクタに組み合った状態（図２に示す状態）の本コネクタを示した斜視図である。
【図５】ワイヤカバーの斜視図である。
【図６】ワイヤカバーの平面図（Ａ）、底面図（Ｂ）および図６（Ａ）に示す矢印Ａ−Ａに沿う断面図（Ｃ）である。
【図７】ワイヤカバーを電線取出開口側から見た側面図（Ａ）、および図７（Ａ）に示す、それぞれ矢印Ｒ−Ｒ，Ｓ−Ｓに沿う各断面図（Ｂ），（Ｃ）である。
【図８】ハウジングへのワイヤカバーの取付け方を示した側面図である。
【図９】図８に実線で示す取付け開始時の姿勢にあるときの本コネクタの斜視図である。
【図１０】ワイヤカバーの係止アーム側の端部をハウジングに近づけた状態を示した本コネクタの斜視図である。
【図１１】ワイヤカバーが、図８に１点鎖線で示すようにハウジングに完全に取り付けられた状態の本コネクタの斜視図である。
【図１２】ワイヤカバーをハウジングに取り付けた状態のコネクタの平面図である。
【図１３】図１２に示す各矢印に沿う断面図と、それらの断面図に示す各円の部分の拡大図である。
【発明を実施するための形態】
【００１７】
以下、本発明の実施の形態を説明する。
【００１８】
図１，図２は、本発明の一実施形態のコネクタの外観斜視図である。ここで、図１は、相手コネクタ２（図３，図４参照）への取付け前の状態を示している。また、図２は、相手コネクタ２に取り付けた後の状態を示している。
【００１９】
図１，図２に示す一実施形態としてのコネクタ１は、ハウジング１０と、ワイヤカバー２０と、操作レバー３０と、２本のカム部材４０とを備えている。カム部材４０は、相手コネクタ２への取付け前の状態（図１参照）では、ハウジング１０から突出している。一方、相手コネクタ２への取付け後の状態（図２参照）では、カム部材４０はハウジング１０に収納されている。
【００２０】
ワイヤカバー２０には、電線取出開口２１が形成されている。この電線取出開口２１からは、複数本の電線５０が、このコネクタ１の外部に取り出されている。
【００２１】
操作レバー３０は、ワイヤカバー２０を跨ぐように湾曲して延びて、ワイヤカバー両側に軸支されている。そして、この操作レバー３０は、図１に示す姿勢と図２に示す姿勢との間で回動自在となっている。
【００２２】
この操作レバー３０を回動させると、それに伴ってカム部材４０がスライドする。相手コネクタ２への取付け前においては、操作レバー３０を図１に示す姿勢に回動させておく。このとき、カム部材４０は、ハウジング１０から突出した状態にスライドしている。この状態で相手コネクタ２への取付けを開始し、操作レバー３０を図２に示す姿勢にまで回動させる。すると、カム部材４０がハウジング１０に収納されるようにスライドする。そして、このカム部材４０のスライドにより、このコネクタ１が相手コネクタ２に取り付けられている。
【００２３】
図３は、図１に示した状態のコネクタ（Ａ）と、そのコネクタと組み合う相手コネクタ（Ｂ）とを示した斜視図である。ここでは、本実施形態のコネクタ（（図３（Ａ））を、相手コネクタ（図３（Ｂ））と区別するために、「本コネクタ」と称することがある。
【００２４】
また、図４は、相手コネクタと、その相手コネクタに組み合った状態（図２に示す状態）の本コネクタを示した斜視図である。
【００２５】
これら図３，図４、およびそれ以降に説明する各図では、図１，図２に示した電線５０は図示を省略している。
【００２６】
ハウジング１０には、ワイヤカバー２０側を向いた上面１１の幅方向中央部分に電線引出面１１２が形成されている。この電線引出面１１２は略長方形状を有する。この電線引出面１１２には、２次元的に配列された複数の電線引出口１１２ａが設けられている。
【００２７】
これら複数の電線引出口１１２ａのそれぞれから１本ずつ、合計複数本の電線５０（図１，図２参照）が引き出される。
【００２８】
ワイヤカバー２０には、ドーム部２２と一対のアーム部２３が形成されている。ドーム部２２は、ハウジング１０の電線引出面１１２の長手方向中央部から一方の端部（図３における、カム部材４０が突出している左側の端部）にかけて広がっている。このドーム部２２は、電線引出面１１２との間に形成された空間２２ａに複数本の電線５０（図１，図２参照）を受け入れる。また、一対のアーム部２３は、電線引出面１１２の長手方向に延びる両側縁それぞれに沿ってドーム部２２から電線引出面１１２の他方の端部（図３，図４における右側の端部）に向かって延在している。これら一対のアーム部２３は、互いに接離する向きに撓むことができる。そして、それら一対のアーム部２３の間に、電線取出開口２１が形成されている。その電線取出開口２１からは、電線引出面１１２に形成されている複数の電線引出口１１２ａから引き出された複数の電線が纏まるようにして、本コネクタ１の外部に取り出される（図１，図２参照）。このワイヤカバー２０は、後述するようにしてハウジング１０に取り付けられる。
【００２９】
相手コネクタ２には、図３に示すように、その外面に上下に突き出たカムピン２ａが形成されている。これに対応して、本コネクタ１の２本のカム部材４０の、互いを向いた内側の面にカム溝（不図示）が形成されている。これら２本のカム部材４０は、ハウジング１０に対し、図１，図３（Ａ）に示す突き出た位置と、図２，図４に示す、ハウジング１０内に入り込んだ位置との間でスライド自在となっている。これら２本のカム部材４０には、ラック４１（図９（Ａ）参照）が形成されている。さらに、これに対応して操作レバー３０の根元の、ハウジング１０に設けられた開口１２からハウジング１０内に入り込んだ部分には、そのラック４１と噛み合うピニオンギア３１（図２，図４参照）が形成されている。さらに、この操作レバー３０は、ハウジング１０の開口１２からハウジング１０内に入り込んだ部分よりも少し上の部分で、ワイヤカバー２０に設けられた突起２４１に回動自在に軸支されている。このため、この操作レバー３０を回動操作することにより、２本のカム部材４０が、図１，図３（Ａ）に示すハウジング１０から突き出た位置と、図２，図４に示すハウジング１０内に入り込んだ位置との間でスライドする。
【００３０】
ここで、図３（Ａ）に示すように２本のカム部材４０がハウジング１０から突き出た状態で本コネクタ１を相手コネクタ２に押し当てる。すると、相手コネクタ２のカムピン２ａが、カム部材４０に設けられている不図示のカム溝に入り込む。その後、操作レバー３０を、図２，図４に示す姿勢まで回動操作する。すると、このカム機構により、本コネクタ１が、相手コネクタ２に、小さな力で正規の位置まで嵌め合わされる。
【００３１】
図３，図４には、相手コネクタ２と一体に備えられたもう１つの相手コネクタ３が示されている。この相手コネクタ３は、本コネクタ１と組み合う相手コネクタ２よりも長手方向の寸法が短いコネクタである。すなわち、このコネクタ３と組み合う、本コネクタ１側のコネクタとして、図１，図２に示す本コネクタよりも長手方向の寸法が短いもう１種類のコネクタが用意されている。ただし、そのコネクタは、図１，図２に示す本コネクタ１と比べ長手方向の寸法が短い点と、本コネクタ１とは異なる向きに組み合わされる点が異なるだけである。異なる向きとは、本コネクタ１のカム部材４０に相当するカム部材が、図１に示す本コネクタ１のカム部材４０とは逆向きにハウジングから突き出る向きである。この向きが異なることにより、カム部材４０に相当するカム部材に形成されているカム溝も、カム部材４０とは逆向きの動きにより嵌め合わされるように変更されている。ただし、この相手コネクタ３と組み合うコネクタの特徴部分は、ここに示した本コネクタ１の特徴部分と同一である。したがって、相手コネクタ３と組み合う本コネクタ１側のコネクタについての図示およびこれ以上の説明は省略する。
【００３２】
本コネクタ１では、複数本の電線５０に終端するコンタクト（図示せず）をハウジング１０の電線引出口１１２内に挿入した後にワイヤカバー２０が取り付けられる。
【００３３】
図５は、ワイヤカバーの斜視図である。ここで、図５（Ａ）は、ワイヤカバーを上方斜めから描いた斜視図である。また、図５（Ｂ）は、ワイヤカバーを上下逆向きにして下面側を描いた斜視図である。
【００３４】
また、図６は、ワイヤカバーの平面図（Ａ）、底面図（Ｂ）および図６（Ａ）に示す矢印Ａ−Ａに沿う断面図（Ｃ）である。
【００３５】
さらに、図７は、ワイヤカバーを電線取出開口側から見た側面図（Ａ）、および図７（Ａ）に示す、それぞれ矢印Ｒ−Ｒ，Ｓ−Ｓに沿う各断面図（Ｂ），（Ｃ）である。
【００３６】
ワイヤカバー２０は、前述の通り、ドーム部２２および一対のアーム部２３を有する。そして一対のアーム部２３どうしの間には、電線取出開口２１が形成されている。
【００３７】
ドーム部２２は、一対の側壁２２１と上壁２２２を有する。一対の側壁２２１は、ハウハウジング１０の電線引出面１１２（図３，図４参照）の両側それぞれから立ち上がる向きに広がっている。また、上壁２２２は、それら一対の側壁２２１に支えられて電線引出面１１２に対面して広がっている。そして、このドーム部２２には、それら一対の側壁２２１と上壁２２２とにより、ハウジング１０の電線引出面１１２（図３，図４参照）との間に複数の電線５０（図１，図２参照）を受け入れる空間２２ａが形成されている。このワイヤカバー２０のドーム部２２側の端部には、２つの支持突起２５が設けられている。これに対応して、ハウジング１０の、図３，図４の左側の端部には、一対の支持穴（不図示）が設けられている。これら一対の支持穴は、ハウジング１０の、図３，図４の右側の端部に設けられている一対の係止穴１１１ａと同様の形状を有する穴である。ワイヤカバー２０の支持突起２５は、ワイヤカバー２０をハウジング１０に取り付けるに際し、ハウジング１０の一対の支持穴に嵌められる。このワイヤカバー２０は、その支持突起２５がハウジング１０の支持穴に嵌められることによって、ハウジング１０に接離する向きに回動可能に軸支される。
【００３８】
また、一対のアーム部２３は、電線取出開口２１を間に置いて、支持突起２５が設けられた端部とは逆側の端部に向かって延びている。これらのアーム部２３は、それぞれが薄板形状を有し、互いに接離する向きに容易に撓むことができる。
【００３９】
また、各アーム部２３の先端には、各係止アーム２３１が設けられている。これらの係止アーム２３１は、ハウジング１０の上面１１に形成されている溝１１３（図９参照）の中に入り込む向きに延びている。そして、それらの係止アーム２３１の先端部にはフック２３１ａが設けられている。このフック２３１ａは、前方に突き出た部分２３１ｂと側方に突き出た部分２３１ｃとを有する。このフック２３１ａの前方に突き出た部分２３１ｂは、ハウジング１０の係止穴１１１ａ（図３，図４参照）に入り込むことによって係止される。また、ハウジング１０には、その上面１１に設けられている縁部１１１（図９（Ａ）参照）に係止溝１１１ｃ（図１３（Ａ１），（Ａ２）参照）が形成されている。フック２３１ａの側方に突き出た部分２３１ｃは、その係止溝１１１ｃに係止される。係止アーム２３１がこのようにしてハウジング１０に係止されると、支持突起２５がハウジング１０の支持穴（不図示）に入り込んでいることと合わせて、ワイヤカバー２０がハウジング１０に固定される。
【００４０】
また、このワイヤカバー２０には、そのドーム部２２の側面２２１に、片面につき４つの突起２４１〜２４４が設けられている。これら４つの突起２４１〜２４４のうちの１つの突起２４１は、前述の通り、操作レバー３０を軸支するための突起である。また、突起２４２は、操作レバー３０が、図１，図３（Ａ）の姿勢にあるときに操作レバー３０の過度の回転を防止するための突起である。
【００４１】
また、突起２４３は、操作レバー３０が図１，図３（Ａ）に示す姿勢にあるときに、操作レバー３０の、ワイヤカバー２０側の面に形成された窪み（不図示）に入り込む（操作レバー３０の仮係止状態）。そして、その突起２４３は、操作レバー３０をその姿勢にロック（仮係止）する。ワイヤカバー２０の電線取出口２１には複数の電線５０（図１，図２参照）が通っている。このため、操作レバー３０が図１，図３に示す姿勢にあるときに、操作レバー３０は、その操作レバー３０に当接する電線５０から反力を受ける。突起２４３による操作レバー３０のロック（仮係止）は、電線からの反力に抗して操作レバー３０の姿勢を仮係止状態に保持させるためのものである。
【００４２】
さらに、もう１つの突起２４４は、操作レバー３０が図２，図４に示す姿勢にあるときの操作レバー３０の回転止めの突起である。このワイヤカバー２０の、突起２４４側には、片持ち梁形状に形成されたロック部２２３が設けられている。操作レバー３０を突起２４４に突き当てる向きに回動操作すると、操作レバー３０がロック部２２３の先端部に当たってロック部２２３を弾性変形させる。そして、操作レバー３０は、そのロック部２２３を乗り越えて突起２４４に突き当たり、図２，図４に示す姿勢となる。このロック部２２３は逆向きには変形し難く、操作レバー３０は、突起２４４とロック部２２３とに挟まれた状態にロック（本係止）される。ロック部２２３を押し下げると、操作アーム３０がそのロック部２２３を通過することができる状態となる。
【００４３】
ロック部２２３は、ドーム部２２の上壁２２２に一対の切り込み２２３ａが形成され、これにより片持ち梁形状を成している。そして、それらの切り込み２２３ａの根本部分には、その切り込み２２３ａの幅よりも大径の円形の穴２２３ｂが設けられている。この円形の穴２２３ｂが形成されていることにより、操作アーム３０によって、あるいは指で押されることによってこのロック部２２３が変形したときの、応力集中が避けられている。
【００４４】
また、このワイヤカバー２０のドーム部２２の内側には、その左右それぞれに３本の補強リブ２６１，２６２，２６３が形成されている。これらの補強リブ２６１，２６２，２６３は、ドーム部２２を形成している一対の側壁２２１のそれぞれと上壁２２２とを繋いでいる。これらの補強リブ２６１，２６２，２６３は、このワイヤカバー２０をハウジング１０に取り付けたときのハウジング１０の電線引出面１１２に対し斜めに直線的に延びる稜線２６１ａ，２６２ａ，２６３ａを持つ略３角形状の補強リブである。このため、これらの補強リブ２６１，２６２，２６３は、単純に一様な突出量の突条に形成された補強リブとは異なり、建築分野における筋交あるいはハンチと同様の作用を成す。この作用により、このワイヤカバー２０の剛性を格段に向上させている。具体的には、これらの補強リブ２６１，２６２，２６３が形成されていない場合、ワイヤカバー２０は、成形時に一対のアーム部２３が互いに近づく向き、すなわち、図６（Ａ），（Ｂ）に示す矢印Ｈ−Ｈの向きに大きく反った形状となる。そのように反った形状のワイヤカバー２０をハウジング１０に取り付けるには、その反りを矯正しながら取り付ける必要を生じ、作業性が大きく損なわれることになる。これに対し、本実施形態のコネクタ１で使われているワイヤカバー２０には、上記の補強リブ２６１，２６２，２６３が設けられている。このため、成形時の反りは僅かであり、取付けの作業性が大きく向上している。また、このコネクタ１には、操作レバー３０が備えられていて、その操作レバー３０は、ハウジング１０にワイヤカバー２０を取り付けた後で回動操作される。この回動操作の際にその操作レバー３０に横向きの力が加わることがある。ワイヤカバー２０に補強リブ２６１，２６２，２６３が設けられていなかった場合、このワイヤカバー２０が仮に反りのない正しい形状に成形されたとしても剛性が弱く、操作レバー３０に加わった横向きの力により容易に変形して、ワイヤカバー２０がハウジング１０から外れるおそれがある。本実施形態の場合、補強リブ２６１，２６２，２６３が形成されていることで、操作レバー３０に横向きの力が加わっても強固に抵抗する。これにより、ワイヤカバー２０が、ハウジング１０から極めて外れにくくなる。
【００４５】
また、一対の側壁２２１のそれぞれに対応して形成されている３本の補強リブ２６１，２６２，２６３は、ワイヤカバー２０の長手方向に配列されている。このうちのアーム部２２３に最近接した、一対の側壁２２１のそれぞれについて各１本ずつの補強リブ２６３は、他の補強リブ２６１，２６２よりも短い稜線を持つ補強リブである。
【００４６】
これらの補強リブ２６１，２６２，２６３は、略３角形状に形成されており、ドーム部２２の上壁２２２側から電線引出面１１２側に近づくほど広い空間２２ａが広がっている。このため、ワイヤカバー２０をハウジング１０に取り付ける際に、複数の電線５０（図１，図２参照）が空間２２ａ内に誘い込まれ易い。この点も、ワイヤカバー２０の取付けの作業性向上に役立っている。また、複数の電線５０は、ワイヤカバー２０に形成された電線取出開口２１から纏まるようにして外に取り出される。このため、ドーム部２２により形成された空間２２ａ内を電線取出開口２１に向かって延びる電線５０は、その電線取出口２１に近づくほど、そこを通る電線５０の本数が増えることになる。本実施形態におけるワイヤカバー２０の場合、アーム部２３に最近接した（すなわち電線取出開口２１に最近接した）一対の補強リブ２６３が稜線２６３ａの短い補強リブとなっている。空間２２ａのうちのこの補強リブ２６３が設けられた部分は電線取出開口２１寄りであるため、その部分を通過する電線５０の本数が大きく増加している。本実施形態におけるワイヤカバー２０の場合、電線取出開口２１寄りの補強リブ２６３が短く形成されているため空間２２ａの幅が広く、本数の増えた電線５０であっても空間２２ａ内に円滑に誘い込まれ、余裕をもって収納できる。また、本実施形態では、仮係止された姿勢（図１，図３参照）にある操作レバー３０の仮係止を解除するには、一対のアーム部２２１を両側から指で挟んで、それらのアーム部２２１を互いに近づく向きに撓ませる必要がある。本実施形態の場合、アーム部２２１に最近接した補強リブ２６３が短かく形成されているため、アーム部２２１の剛性が強まり過ぎずに、アーム部２２１を撓ませたときに仮係止用の突起２４３が設けられている部分も適度に撓むようになっている。すなわち、一対のアーム部２２１を両側から指で挟んだときに、仮係止用の突起２４３が設けられている部分も適度に撓み、操作レバー３０の仮係止を解除することができる。
【００４７】
尚、本実施形態では、補強リブ２６１，２６２，２６３が３対形成されているが、補強リブの本数は３対に限られるものではなく、必要とする剛性等に応じて適宜決定される。
【００４８】
図８は、ハウジングへのワイヤカバーの取付け方を示した側面図である。この図８では、操作レバー３０は省かれている。実線で示すワイヤカバー２０は、ハウジング１０への取付け開始時の姿勢をあらわしている。また、１点鎖線は、ハウジング１０に取り付けられた状態のワイヤカバー２０の姿勢である。
【００４９】
ワイヤカバー２０をハウジング１０に取り付けるにあたっては、ワイヤカバー２０を、図８に実線で示すように、ハウジング１０の電線引出面１１２（図３，図４参照）に対し斜めに傾けて、ドーム部２２の端部に形成されている支持突起２５（図５参照）をハウジング１０の一端に設けられている支持穴（不図示）に軸支させる。次に、ワイヤカバー２０を矢印Ｉの向きに回動させる。すると、アーム部２３の先端の係止アーム２３１に形成されたフック２３１ａがハウジング１０の係止穴１１１ａ（図３，図４参照）および係止溝１１１ｃ（図１３（Ａ１），（Ａ２）参照）に係止される。ワイヤカバー２０は、このようにして、支持突起２５がハウジング１０に支持され、かつフック２３１ａがハウジング１０の係止穴１１１ａおよび係止溝１１１ｃに係止されることで、ハウジング１０に取り付けられる。
【００５０】
図９〜図１１は、図８に示したワイヤカバーのハウジングへの取付け過程を順を追って示した斜視図である。図９，図１０には、部分拡大図も示されている。
【００５１】
図９（Ａ）は、図８に実線で示す取付け開始時の姿勢にあるときの本コネクタの斜視図である。また、図９（Ｂ）は、図９（Ａ）に示す円Ｌの部分の拡大図である。
【００５２】
また、図１０（Ａ）は、ワイヤカバー２０を、図９（Ａ）に示した姿勢から回転させて、係止アーム２３１側の端部をハウジング１０に近づけた状態を示した本コネクタの斜視図である。また、図１０（Ｂ），（Ｃ）は、それぞれ、図１０（Ａ）に示す円Ｍ，Ｊの部分の拡大図である。
【００５３】
さらに、図１１（Ａ）は、ワイヤカバー２０が、図８に１点鎖線で示すようにハウジング１０に完全に取り付けられた状態の本コネクタの斜視図である。
【００５４】
これらの図９〜図１１において、操作レバー３０は、ワイヤカバー２０のロック部２２３にロックされた姿勢にある。
【００５５】
ハウジング１０の上面１１には、その幅方向中央部に、複数の電線引出口１１２ａが設けられ電線引出面１１２が形成され、その周りに溝１１３が形成されている。ワイヤカバー２０は、長手方向の両端部が溝１１３内に入り込むようにして、ハウジング１０に取り付けられる。また、ハウジング１０の上面の、溝１１３の回りには、縁部１１１が設けられている。
【００５６】
一対のカム部材４０（図３参照）は、ハウジング１０の縁部１１１に長手方向にスライド自在に収納されている。縁部１１１には、開口１２が形成されている。その開口１２の内側には、カム部材４０のラック４１が見えている。ワイヤカバー２０を操作アーム３０とともにハウジング１０に取り付けると、操作レバー３０の下部の、ピニオンギア３１が形成された部分が、開口１２に入り込む。そして、そのピニオンギア３１がラック４１に噛み合い、操作レバー３０の回動操作に応じてカム部材４０がスライドする。
【００５７】
また、ハウジング１０には、ワイヤカバー２０に向かって溝１１３から突出した案内リブ１５が形成されている。この案内リブ１５は、電線引出面１１２を幅方向に挟むように左右に、かつ長手方向に２箇所、合計４箇所に形成されている。
【００５８】
案内リブ１５には、図９（Ｂ），図１０（Ｂ）に示すように、ワイヤカバー２０を案内する斜面１５１が形成されている。ワイヤカバー２０は、それらの案内リブ１５に案内されながら、ハウジング１に取り付けられる。すなわち、ワイヤカバー２０が多少斜めに向いていても、その向きが修正されてハウジング１０に取り付けられる。
【００５９】
図１２は、ワイヤカバーをハウジングに取り付けた状態のコネクタの平面図である。ここでは操作レバーは図示省略されている。
【００６０】
また、図１３は、図１２に示す各矢印に沿う断面図と、それらの断面図に示す各円の部分の拡大図である。具体的には、図１３（Ａ１），（Ｂ１），（Ｃ１）は、それぞれ、図１２に示す各矢印Ｂ−Ｂ，Ｃ−Ｃ，Ｄ−Ｄに沿う断面図である、また、図１３（Ａ２），（Ｂ２），（Ｃ２）は、それぞれ、各断面図（Ａ１），（Ｂ１），（Ｃ１）に示す円Ｇ，Ｅ，Ｆの部分の拡大図である。
【００６１】
図１３（Ａ１），（Ｂ１），（Ｃ１）にも、斜めの稜線を有する略３角形状の補強リブ２６２，２６３があらわれている。また図１３（Ｂ１），（Ｃ１）、および拡大図である図１３（Ｂ２），（Ｃ２）には、ワイヤカバー２０が案内リブ１５に案内されてハウジング１０に取り付けられた状態が示されている。
【００６２】
また、図１３（Ａ１）および拡大図である図１３（Ａ２）には、ワイヤカバー２０の係止アーム２３１先端のフック２３１ａ（図５参照）のうちの側方に突き出た部分２３１ｃが示されている。図１３（Ａ１），（Ａ２）には、その側方に突き出た部分２３１ｃがハウジング１０に形成された係止溝１１１ｃに係止されている状態が示されている。
【００６３】
ハウジング１０に取り付けられているワイヤカバー２０をハウジング１０から取り外す際は、ワイヤカバー２０の一対のアーム部２３を両側から挟むように摘んで、それらのアーム部２３を撓ませる。アーム部２３を撓ませると、フック２３１ａのうち側方に突き出た部分２３１ｃが係止溝１１１ｃから外れる。また、この撓みにより、フック２３１ａのうちの前方に突き出た部分２３１ｂ（図５参照）も係止穴１１１ａ（図３，図４参照）への係りが浅くなる。そこで、このようにして摘んで撓ませて上に持ち上げると、フック２３１ａの、ハウジング１０との係止が外れ、ワイヤカバー２０をハウジング１０から取り外すことができる。これを可能とするために、係止穴１１１ａの横幅は、フック２３１ａの横幅よりも広い寸法となっている。このため、アーム部２３が不用意に撓むと、ワイヤカバー２０がハウジング１０から外れてしまうおそれがある。ここで、操作レバー３０は、図１に示す姿勢と図２に示す姿勢との間で回動操作される。その操作の際に、横向きの力が不用意に加えられることが生じ得る。その横向きの力は、ワイヤカバー２０に、図１３（Ａ１）に示す矢印Ｋの向きの力として作用する。本実施形態におけるワイヤカバー２０には、補強リブ２６１〜２６３が形成されているため、ワイヤカバー２０は、このような横向きの力に頑強に抵抗する。そして、操作レバー３０が不用意に加わる可能性のある程度の横向きの力を受けても、フック２３１ａ（の側方の突き出た部分２３１ｃ）と係止溝１１１ｃとの係止が外れる事態が防止される。ただし、ワイヤカバー２０が操作レバー３０から横向きの力を受けるのは、ワイヤカバー２０の長手方向中央の部分である。この部分には、その内側に補強リブ２６１〜２６３が設けられていて、横向きの力に頑強に抵抗する。これに対し、ワイヤカバー２０をハウジング１０から取り外そうとして摘むのは、係止アーム２３１が設けられているアーム部２３である。この場合には、適度な力で摘むことによって、アーム部２３を撓ませることができ、ワイヤカバー２０とハウジング１０との間の係止を外すことができる。
【符号の説明】
【００６４】
１    コネクタ
２，３    相手コネクタ
１０    ハウジング
１１    上面
１２    開口
１５    案内リブ
２０    ワイヤカバー
２１    電線取出開口
２２    ドーム部
２２ａ    空間
２３    アーム部
２５    支持突起
３０    操作レバー
３１    ピニオンギア
４０    カム部材
４１    ラック
５０    電線
１１１    縁部
１１１ａ    係止穴
１１２    電線引出面
１１２ａ    電線引出口
１１３    溝
１５１    斜面
２２１    側壁
２２２    上壁
２２３    ロック部
２２３ａ    切り込み
２３１    係止アーム
２３１ａ    フック
２３１ｂ    前方に突き出た部分
２３１ｃ    側方に突き出た部分
２４１，２４２，２４３，２４４    突起
２６１，２６２，２６３    補強リブ
２６１ａ，２６２ａ，２６３ａ    稜線
【図１】
2015220078.tif 000003
【図２】
2015220078.tif 000004
【図３】
2015220078.tif 000005
【図４】
2015220078.tif 000006
【図５】
2015220078.tif 000007
【図６】
2015220078.tif 000008
【図７】
2015220078.tif 000009
【図８】
2015220078.tif 000010
【図９】
2015220078.tif 000011
【図１０】
2015220078.tif 000012
【図１１】
2015220078.tif 000013
【図１２】
2015220078.tif 000014
【図１３】
2015220078.tif 000015